(57)【要約】【課題】スタンド脚の開閉、運搬、設置、撤去作業が容易で、より少ない保管スペースに収納可能とする開閉脚付きスタンドスタンドを提供する。【解決手段】スリーブ９の外周面に放射状に３本以上の脚連結体７を一体に取り付け、支柱１８を挿入支持する摺動支持筒１５がスリーブ９内を上下方向に摺動可能に構成し、各脚連結体７には係合ピン１１または閉脚ハンガー１２により開閉脚３を開閉可動状態に締結する。開閉脚３を開状態にした場合、開閉脚３の開角度を規制するために開閉脚３にストッパー役として顎部４と脚連結体７に開閉脚ストッパー部８を形成する。開閉脚体２の開閉時には、閉脚ハンガー１２を、ハンガー止め１４に引掛けたり外したりすることにより、開閉の簡単操作を可能とし、さらに、開閉脚体２を閉状態で保管する場合には、別に用意した収納台に収納可能な構成とする。【選択図】図１
2013138771.tif 000002
【特許請求の範囲】
【請求項１】
支柱を挿入支持する摺動支持筒に開脚ガイドと脚カバーを一体に取り付け、外周面に放射状に３本以上の脚連結体に一体に取り付けたスリーブ内を該摺動支持筒が上下方向に摺動可能になるように構成し、該各脚連結体に係合ピン孔と開閉脚の開脚角度を規制する開閉脚ストッパー部を設け、該係合ピン孔と開閉脚に開けた係合孔に係合ピンを介して開閉脚を開閉可動状態に締結し、開閉脚を開状態にした場合に開閉脚ストッパー部に開閉脚が接することにより開閉脚部の開脚角度を規制すべく構成されていることを特徴とする開閉脚付きスタンド。
【請求項２】
脚連結体の係合ピンの一つを回動可能な閉脚ハンガーとし、開閉脚体の閉時に閉脚ハンガーを係合するハンガー止めを脚カバーに設ける構成としたことを特徴とする請求項１の開閉脚スタンド。
【請求項３】
開閉脚上端部に顎部をもうけ、該顎部と脚連結体に一体に取り付けたスリーブの外周面とを当接させることにより開閉脚部の開脚角度を規制すべく構成としたことを特徴とする請求項１または請求項２に記載の開閉脚付きスタンド。
【請求項４】
摺動支持筒の下端に開閉脚の開時に容易に開閉脚を開状態にガイドする開脚ガイドを設けた請求項１ないしは請求項３のいずれか一項に記載の開閉脚付きスタンド。
【請求項５】
開閉脚閉時には、開閉脚の顎部が脚カバーの外周面に接触状態にすることにより、開閉脚部を閉状態に保持すべく構成としたことを特徴とする請求項１ないしは請求項４のいずれか一項に記載の開閉脚付きスタンド。
【請求項６】
開閉脚閉状態で保管する場合、収納台に設けた収納棒を中空摺動支持筒内に挿入することにより安定状態で保管可能にすべく構成としたことを特徴とする請求項１ないしは請求項５のいずれか一項に記載の開閉脚付きスタンド。
【発明の詳細な説明】
【技術分野】
【０００１】  本発明は点滴ボトルスタンドや標識スタンドなどに用いられる開閉脚付きスタンドに関する。
【背景技術】
【０００２】  イベント会場内、店舗内、工場内、工事現場では宣伝用、規制用または標識用として、更には病院内では点滴用として各種脚付きスタンドが使用されている。しかし、一般に流通しているスタンドは脚が固定されているために運搬、設置、撤去作業ガ容易ではなく、更に保管に広い保管スペースが必要である。
特開平８−１１２４９３および特開２０１１−１７８５には脚の開閉作業が短時間かつ簡単に行うことができるスタンドの例が示されているが、スタンド脚の開閉作業は、人が脚部を手で持って開閉操作をする必要があり、多忙な現場作業では作業性に問題があった。
【先行技術文献】
【特許文献】
【０００３】
【特許文献１】特開平８−１１２４９３
【特許文献２】特開２０１１−１７８５
【発明の概要】
【発明が解決しようとする課題】
【０００４】  本発明では、上記の課題を解決するためになされたもので、スタンド脚を手で開閉操作することなしに運搬、設置、撤去作業が容易で、更に少ない保管スペースに収納可能とする開閉脚付きスタンドを提供することを目的とする。
【課題を解決するための手段】
【０００５】  本発明では、上記目的を達成するために、支柱を挿入支持する摺動支持筒に開脚ガイドと脚カバーを一体に取り付け、外周面に放射状に３本以上の脚連結体に一体に取り付けたスリーブと、該スリーブ内を該摺動支持筒が上下方向に摺動可能とするために、該各脚連結体に係合ピン孔と開脚時の開角度を規制し、また閉脚収納時には開閉脚体の開脚を防止する顎部を設けている。該係合ピン孔と開閉脚に開けた係合孔に係合ピンを介して開閉脚体を上下方向に回動可能状態に締結し、開閉脚体を開状態にした場合に脚連結体の開閉脚ストッパー部に開閉脚が接することにより開閉脚部の開角度の規制も可能とするように構成されていることを特徴としている。【０００６】  また、本発明は脚連結部の係合ピンの一つを可動可能な閉脚ハンガーとし、開閉脚体の閉時に該閉脚ハンガーを係合するハンガー止めを脚カバーに設ける構成としたことを特徴としている。また、本発明は開閉脚上端部に形成した顎部を脚連結体に一体に固着したスリーブ外面に当接させることにより、開閉脚の開角度を規制する構成とし、更に摺動支持筒の下端に開閉脚の開時に容易に開閉脚を開状態とする開脚ガイドを設ける構成としたことを特徴としている。【０００７】  さらに、本発明は、開閉脚体の閉時には開閉脚の顎部が脚カバーの外周面に接触状態とすることにより、開閉脚体を閉状態に保持する構成としたことを特徴とし、また、開閉脚閉状態で保管・移動する場合には、収納台に設けた収納ガイド棒を中空摺動支持筒内に挿入することにより安定状態で管理できる構成としたことを特徴としている。
【発明の効果】
【０００８】  本発明によれば、使用目的に応じた支柱を摺動支持等筒に挿入固定し、開閉ハンガーを人が手または足でハンガー止めから外した状態で支柱を上方に持ち上げることにより、脚連結体に固着されているスリーブ内を開閉ガイドおよび脚カバーと一体に組立てられた摺動支持筒が上方向に摺動する。この操作により開脚ガイドが開閉脚に当接し、開閉脚体が外方に広がり、半開脚状態を保持する。その後、床面に下ろすとキャスター付き開閉脚体が外側に開き、開閉脚の顎部が脚連結体のスリーブ外周面に当接、または開閉脚ストッパー部に開閉脚が当接することにより全開脚状態を保持することが可能となる。【０００９】  次に開閉脚体を閉じるときは、閉脚ハンガーを脚カバーに取り付けられているハンガー止めに係合した後に、支柱または脚付きスタンドを上方に持ち上げ開閉脚体のキャスターが床面から離れた状態にすることにより、開閉脚顎部が脚カバーの外周面の外に位置する状態となる。この状態でスタンド脚台を床面に下ろすことにより開閉脚体は脚カバーにより係止された状態を保持し、開閉脚体が開状態になることはない。【００１０】  また、開閉脚体を閉状態にままで、中空の摺動支持筒内部に収納台上の収納ガイド棒を挿入することにより、複数本のスタンド脚台を立脚安定状態で保管・移動することができる。
【図面の簡単な説明】
【００１１】
【図１】本発明の一実施例の開脚状態にある開閉脚体の状態を示す一部断面図
【図２】同実施例の閉脚ハンガーをハンガー止めに係合した状態でスタンド脚台を上方に引き上げた状態の図
【図３】同実施例の引き上げ後に床面に脚付きスタンドを置いた閉脚収納状態の図
【図４】同実施例の収納台を使用した収納状態の図
【図５】同実施例の収納状態から閉脚ハンガーを外し摺動支持筒を上方に持ち上げる開脚途中の状態図
【図６】同実施例の脚連結体の上面図
【図７】同実施例の板金製開脚脚
【発明を実施するための形態】
【００１２】  運搬、設置、撤去作業が容易で、少ない保管スペースに収納可能とする開閉脚付きスタンドを提供するという目的を、閉脚ハンガーをハンガー止めに引掛けるか外すかの簡単な操作と、開脚スタンド本体を床面から持ち上げるか置くかの操作だけで実現した。
【実施例】
【００１３】  以下、本発明の一実施例を図面を用いて説明する。ただし、図１から図５までの図には閉脚ハンガー１２によって係合されている開閉脚体２以外の開閉脚体は表示していない。脚付きスタンド１は、開閉脚３とキャスター６が一体に接合された開閉脚体２、複数個の該開閉脚体２を放射状に係合保持する脚連結体７、該脚連結体７の中心部に脚カバー１３と開脚ガイド１６が一体に固着されている摺動支持筒１５が上下方向に摺動可能とするスリーブ９から構成されている。
開閉脚３には、開脚角度を規制するために顎部４が、また、脚連結体７にも開脚角度を規制するための開閉脚ストッパー部８が形成されている。開閉脚体２と脚連結体７とは係合ピン１１によって回動可能に係合されているが、そのうちの１脚には係合ピン１１の機能と脚開閉操作機能を併せ持った閉脚ハンガー１２を備えており、また、脚カバー１３には該閉脚ハンガー１２を係止するハンガー止め１４が設けられている。宣伝用、規制用、標識用または点滴用として使用する支柱１８は摺動支持筒１５の支柱止めネジ１７によって固定支持される。【００１４】  次に、上記実施例において、開脚、閉脚および収納時の動作を説明する。
図１は開脚設置状態の脚付きスタンド１の状態を示すが、閉脚ハンガー１２によって係合されている開閉脚体２以外の開閉脚体は表示していない。表示されていない複数本の開閉脚体は、係合ピン１１により脚連結体７の係合ピン孔１０に回動可能状態で係合されている。開閉脚体２の開脚角度は、図１に示すように開閉脚３の顎部４とスリーブ１６の外面がａ点で、また開閉脚ストッパー部８と開閉脚３がｂ点で当接することにより規制されているが、両点が当接する必要は無く、どちらかの１点で当接することにより開脚角度規制の目的は達成できる。脚カバー１３と開脚ガイド１６が固着されている摺動支持筒１５は、スリーブ９と脚カバー１３により脚付きスタンド１の設置面に対して垂直状態に保持されており、その結果、止めネジ１７で固定支持されている支柱１８は安定状態に保持されることになる。【００１５】  開脚状態にある脚付きスタンド１を閉脚する場合には、閉脚ハンガー１２を脚カバー１３のハンガー止め１４に係合し、摺動支持筒１５または支柱１８を手で上方向に引き上げることにより、摺動支持筒１５はガイド溝２１とスリーブ９に設けたガイドピン１９，２０により回動することなくスムースに上方向にガイドされ、開閉脚体２は自重により閉脚状態となる。もし、開閉ハンガー１２を脚カバー１３のハンガー止め１４に係合せずに、摺動支持筒１５または支柱１８を手で上方に引き上げると、摺動支持筒１５の下端に設けた開脚ガイド１６が開閉脚３の下面に当接し、開閉脚体２は半開脚状態となり閉脚できない。これにより、使用者に開脚ハンガー１２のかけ忘れを気付かせることができる。図２は、閉脚ハンガー１２を脚カバー１３のハンガー止め１４に係合し、脚付きスタンド１を上方向に引き上げた状態を示しており、開閉脚体２が閉脚状態となっている。【００１６】  図３は、閉脚収納時の状態を示している。開閉脚体２は自重により閉脚状態を保持しているため、支柱１８の有無にかかわらず脚付きスタンド１を床面上に置くと、３脚以上の開閉脚体のキャスター６が床面に接し、脚付きスタンド１は立脚状態を保持ことができる。また、支柱１８の上部に重心があり、脚付きスタンド１が転倒する可能性が有る場合には、図４に示すように収納ガイド棒２３付き収納台２２を用いて、該収納ガイド棒１５を中空の収納支持筒１５に挿入することにより脚付きスタンド１が転倒することなしに、閉脚状態で保管や移動が可能となる。【００１７】  また、閉脚状態の脚付きスタンド１を開脚する場合には、閉脚ハンガー１２をハンガー止め１４から外してから、脚付きスタンド１や支柱１８を手で上方向に持ち上げ、開脚スタンド１を床面または納代台２２の収納ガイド棒２３から離すと、図５に示すようの円形状の開脚ガイド１６が開閉脚３の内側に当接した状態で上方に引き上げられるため、開閉脚体２は係合孔５または係合ピン孔１０を中心として外方向すなわち図中の矢印の方向に開いた状態になる。その状態のまま、床面に脚付きスタンド１を置くと開閉脚体２は図１に示す開脚設置状態となる。【００１８】  図６は開閉脚体２を３脚とした場合の脚連結体７とスリーブ９およびガイドピン１９、２０の組立て例の平面図を示す。脚連結体７をコの字形状にすること���よりスリット２４を形成し、スリーブ９に溶接によって固着する。該スリット２４内に開閉脚３を回動自在の状態で係合ピン１１および閉脚ハンガー１２により係合されている。ガイドピン１９．２０のスリーブ９内に突出している部分の外径は摺動支持筒１５のガイド溝２１の幅より小さくし、摺動支持筒１５が回動することなく上下方向へのスムースな移動をガイドしている。【００１９】実施例に使用した板金で製作した開閉脚３を図７に示す。開脚角度を規制する顎部４とキャスター取り付け面２５を形成するためにひねりを入れた形状となっている。本実施例では板金を使用したが、樹脂製や金属製の丸棒や角棒を加工して使用することもできる。
【産業上の利用可能性】
【００２０】  本発明の開閉脚付きスタンドは、支柱の形態により宣伝用、規制用または標識用として、更には病院や在宅療養で使用する点滴用として用いられる。
【符号の説明】
【００２１】１  脚付きスタンド
２  開閉脚体
３  開閉脚
４  顎部
５  係合孔
６  キャスター
７  脚連結体
８  開閉脚ストッパー部
９  スリーブ
１０  係合ピン孔
１１  係合ピン
１２  閉脚ハンガー
１３  脚カバー
１４  ハンガー止め
１５  摺動支持筒
１６  開脚ガイド
１７  支柱止めネジ
１８  支柱
１９、２０  ガイドピン
２１  ガイド溝
２２  収納台
２３  収納ガイド棒
２４  スリット
２５  キャスター取り付け面
【図１】
2013138771.tif 000003
【図２】
2013138771.tif 000004
【図３】
2013138771.tif 000005
【図４】
2013138771.tif 000006
【図５】
2013138771.tif 000007
【図６】
2013138771.tif 000008
【図７】
2013138771.tif 000009